【手続補正書】
【提出日】平成20年4月17日(2008.4.17)
【手続補正１】
【補正対象書類名】明細書
【補正対象項目名】特許請求の範囲
【補正方法】変更
【補正の内容】
【特許請求の範囲】
【請求項１】  画像形成装置であって、
シーンに対して移動し、該シーンについて少なくとも部分的に複数の光学像を取得する、少なくとも１つの画像形成部であって、少なくとも２つの前記光学像は各々相異なる視点から視た像である、画像形成部と、
前記少なくとも２つの光学像を表す画像データを受信し、各画像を複数のセグメントに分割してシーンの複数のモザイクを生成するよう該データを処理する、処理部と、
前記複数のモザイクを受信し、シーンに奥行き感を与えるように表示する、ディスプレイと、
を備え、
各モザイクが、異なる光学像から取得したセグメントを含み、
シーンの少なくとも一部分に関するセグメントは、少なくとも２つの光学像から得られ、少なくとも２つのモザイクに現れており、
あるモザイクにおける前記２つの光学像の異なるセグメントが、シーンの別々の部分を表す、
ことを特徴とする画像形成装置。
【請求項２】  請求項１に記載の画像形成装置において、
前記画像形成装置が、前記少なくとも１つの画像形成部と、前記処理部と、前記ディスプレイとを収容するハウジングを含む、携帯型のハンドヘルド装置である、
ことを特徴とする画像形成装置。
【請求項３】  請求項１に記載の画像形成装置において、
前記画像形成装置から画像データを送信する通信装置を備える、
ことを特徴とする画像形成装置。
【請求項４】  請求項３に記載の画像形成装置において、
前記通信装置が、前記少なくとも１つの画像形成部と前記処理部と前記ディスプレイとを収容するハウジング内に格納される、
ことを特徴とする画像形成装置。
【請求項５】  請求項３に記載の画像形成装置において、
前記通信装置により送信される画像データが、少なくともモザイクの一部を含む、
ことを特徴とする画像形成装置。
【請求項６】  請求項３に記載の画像形成装置において、
前記通信装置により送信される画像データが、前記少なくとも１つの画像形成部により提供される画像データを含む、
ことを特徴とする画像形成装置。
【請求項７】  請求項３に記載の画像形成装置において、
前記通信装置が、無線通信チャネルを介してデータを送信するための装置を備える、
ことを特徴とする画像形成装置。
【請求項８】  請求項７に記載の画像形成装置において、
前記通信チャネルが、携帯電話通信チャネルを含む、
ことを特徴とする画像形成装置。
【請求項９】  請求項１に記載の画像形成装置において、
前記ディスプレイが、少なくとも２つのモザイクを奥行き感が得られる速さで連続して表示する、
ことを特徴とする画像形成装置。
【請求項１０】  請求項１に記載の画像形成装置において、
前記ディスプレイは、両眼が各々別のモザイクを視るように少なくとも２つのモザイクを表示する、
ことを特徴とする画像形成装置。
【請求項１１】  請求項１に記載の画像形成装置において、
前記複数のモザイクのモザイクがパノラマのモザイクを含む、
ことを特徴とする画像形成装置。
【請求項１２】  請求項１に記載の画像形成装置において、
前記処理部が、前記複数のモザイクのモザイク間の視差を調整して選択された視覚効果をもたらす、
ことを特徴とする画像形成装置。
【請求項１３】  請求項１２に記載の画像形成装置において、
前記処理部が、前記複数のモザイクのモザイク間の視差を調整して、シーンにおける対象物について選択された少なくとも１つの視差を提供する、
ことを特徴とする画像形成装置。
【請求項１４】  請求項１２に記載の画像形成装置において、
前記処理部が、モザイク間の視差を調整して、シーンにおける有限距離での対象物に対する視差を少なくとも人間の立体結合に必要な視差にする、
ことを特徴とする画像形成装置。
【請求項１５】  請求項１２に記載の画像形成装置において、
前記処理部が、モザイク間の視差を調整して、シーンにおける全ての対象物に対する視差が所定の範囲内に入るようにする、
ことを特徴とする画像形成装置。
【請求項１６】  請求項１２に記載の画像形成装置において、
前記処理部が、シーンにおける異なる対象物に対する視差を別々に調整する、
ことを特徴とする画像形成装置。
【請求項１７】  請求項１に記載の画像形成装置において、
前記少なくとも１つの画像形成部が、１つのモザイクの生成に使用されるシーンから画像データを同時に取得する、
ことを特徴とする画像形成装置。
【請求項１８】  請求項１に記載の画像形成装置において、
前記少なくとも１つの画像形成部が、前記複数のモザイクのうちの少なくとも２つのモザイクの生成に使用されるシーンの画像データを同時に取得する、
ことを特徴とする画像形成装置。
【請求項１９】  請求項１に記載の画像形成装置であって、
前記少なくとも１つの画像形成部と、前記処理部と、前記ディスプレイとを収容するハウジングを備える、
ことを特徴とする画像形成装置。
【請求項２０】  請求項１に記載の画像形成装置において、
前記処理部は、少なくとも３つのシリーズの画像ストリップを生成するよう構成され、各シリーズは、シーンに対する一連の位置の各々からカメラによって記録されたようにシーンの一連の画像のストリップを含み、各シリーズの画像ストリップは各画像のストリップを表し、該ストリップは、少なくとも１つの選択された置換によって互いに置き換えられるものであり、
前記処理部はさらに、各画像ストリップのシリーズをモザイク処理することにより、シーンの前記複数のモザイクを構築するよう構成される、
ことを特徴とする画像形成装置。
【請求項２１】  請求項１０に記載の画像形成装置において、
前記ディスプレイがレンチキュラー・プリントである、
ことを特徴とする画像形成装置。
【請求項２２】  画像形成装置であって、
シーンに対して移動し、該シーンについて少なくとも部分的に複数の光学像を取得する、少なくとも１つの画像形成部であって、少なくとも２つの前記光学像は各々相異なる視点から視た像である、画像形成部と、
前記少なくとも２つの光学像を表す画像データを受信し、各画像を複数のセグメントに分割してシーンの複数のモザイクを生成するよう該データを処理する、処理部と、
前記複数のモザイクを受信し、シーンに奥行き感を与えるように表示する、ディスプレイと、
を備え、
各モザイクが、異なる光学像から取得したセグメントを含み、
少なくとも２つの前記光学像が、少なくとも２つのモザイクの各々に異なるセグメントを提供し、
あるモザイクにおける前記２つの光学像の異なるセグメントが、シーンの別々の部分を表す、
ことを特徴とする画像形成装置。
【請求項２３】  請求項２２に記載の画像形成装置において、
前記画像形成装置から画像データを送信する通信装置を備える、
ことを特徴とする画像形成装置。
【請求項２４】  請求項２２に記載の画像形成装置において、
前記ディスプレイが、少なくとも２つのモザイクを奥行き感が得られる速さで連続して表示する、
ことを特徴とする画像形成装置。
【請求項２５】  請求項１に記載の画像形成装置において、
任意の２つのモザイクの各々に少なくとも２つの異なるセグメントを提供する任意の２つの光学像については、両光学像によって第１のモザイクに提供されるセグメントは全て、両光学像によって第２のモザイクに提供されるセグメントの左側である、
ことを特徴とする画像形成装置。
【請求項２６】  画像形成装置であって、
シーンに対して移動し、該シーンについて少なくとも部分的に複数の光学像を取得する、少なくとも１つの画像形成部であって、少なくとも２つの前記光学像は各々相異なる視点から視た像である、画像形成部と、
前記少なくとも２つの光学像に対応する画像データを受信し、各画像を複数のセグメントに分割してシーンの複数のモザイクを生成するよう該データを処理する、処理部と、
前記複数のモザイクを受信し、シーンに奥行き感を与えるように表示する、ディスプレイと、
を備え、
各モザイクが、異なる光学像から取得したセグメントを含み、
少なくとも２つの光学像が、少なくとも２つのモザイクの各々に異なるセグメントを提供し、
あるモザイクにおける前記２つの光学像の異なるセグメントが、シーンの別々の部分を表し、
第１のモザイク画像に提供される各光学像の第１のセグメントは常に、第２のモザイク画像に提供される各光学像の第２のセグメントの左側である、
ことを特徴とする画像形成装置。
【請求項２７】  画像形成装置であって、
シーンに対して移動し、該シーンについて少なくとも部分的に複数の光学像を取得する、少なくとも１つの画像形成部であって、少なくとも２つの前記光学像は各々相異なる視点から視た像である、画像形成部と、
前記少なくとも２つの光学像に対応する画像データを受信し、各画像を複数のセグメントに分割してシーンの複数のモザイクを生成するよう該データを処理する、処理部と、
前記複数のモザイクを受信し、シーンに奥行き感を与えるように表示する、ディスプレイと、
を備え、
各モザイクが、異なる光学像から取得したセグメントを含み、
各モザイクの少なくとも２つの異なるセグメントが、前記２つの光学像の各々に現れているシーンの異なる部分に関連し、
シーンの少なくとも一部分に関するセグメントは、少なくとも２つの光学像から得られ、少なくとも２つのモザイクに現れており、
少なくとも２つの異なるセグメントを任意の２つのモザイクの各々に提供する任意の２つの光学像については、両光学像によって第１のモザイクに提供されるセグメントは全て、両光学像によって第２のモザイクに提供されるセグメントの左側である、
ことを特徴とする画像形成装置。
【請求項２８】  請求項２７に記載の画像形成装置において、
前記画像形成装置が、前記少なくとも１つの画像形成部と、前記処理部と、前記ディスプレイとを収容するハウジングを含む、携帯型のハンドヘルド装置である、
ことを特徴とする画像形成装置。
【請求項２９】  請求項２７に記載の画像形成装置において、
前記画像形成装置から画像データを送信する通信装置を備える、
ことを特徴とする画像形成装置。
【請求項３０】  請求項２９に記載の画像形成装置において、
前記通信装置が、前記少なくとも１つの画像形成部と前記処理部と前記ディスプレイとを収容するハウジング内に格納される、
ことを特徴とする画像形成装置。
【請求項３１】  請求項２９に記載の画像形成装置において、
前記通信装置により送信される画像データが、少なくともモザイクの一部を含む、
ことを特徴とする画像形成装置。
【請求項３２】  請求項２９に記載の画像形成装置において、
前記通信装置により送信される画像データが、前記少なくとも１つの画像形成部により提供される画像データを含む、
ことを特徴とする画像形成装置。
【請求項３３】  請求項２９に記載の画像形成装置において、
前記通信装置が、無線通信チャネルを介してデータを送信する装置を備える、
ことを特徴とする画像形成装置。
【請求項３４】  請求項３３に記載の画像形成装置において、
前記通信チャネルが、携帯電話通信チャネルを含む、
ことを特徴とする画像形成装置。
【請求項３５】  請求項２７に記載の画像形成装置において、
前記ディスプレイが、少なくとも２つのモザイクを奥行き感が得られる速さで連続して表示する、
ことを特徴とする画像形成装置。
【請求項３６】  請求項２７に記載の画像形成装置において、
前記ディスプレイは、両眼が各々別のモザイクを視るように少なくとも２つのモザイクを表示する、
ことを特徴とする画像形成装置。
【請求項３７】  請求項２７に記載の画像形成装置において、
前記処理部は、少なくとも３つのシリーズの画像ストリップを生成するよう構成され、各シリーズが、シーンに対する一連の位置の各々からカメラによって記録されたようにシーンの一連の画像のストリップを含み、各シリーズの画像ストリップは各画像のストリップを表し、該ストリップは、少なくとも１つの選択された置換によって互いに置き換えられるものであり、
前記処理部はさらに、各画像ストリップのシリーズをモザイク処理することにより、シーンの前記複数のモザイクを構築するようになっている、
ことを特徴とする画像形成装置。
【請求項３８】  シーンに対して移動し該シーンの複数の光学像を取得する少なくとも１つの画像形成部によって取得されるシーンを少なくとも部分的に表す画像データの処理方法であって、
少なくとも２つの前記光学像は各々相異なる視点から視た像であり、
各画像を複数のセグメントに分割してシーンの複数のモザイクを生成するステップと、
シーンに奥行き感を与えるように複数のモザイクを表示するステップと、
を含み、
各モザイクが、異なる光学像から取得したセグメントを含み、
シーンの少なくとも一部分に関するセグメントは、少なくとも２つの光学像から得られ、少なくとも２つのモザイクに現れており、
あるモザイクにおける前記２つの光学像の異なるセグメントが、シーンの別々の部分を表し、
少なくとも２つの異なるセグメントを任意の２つのモザイクの各々に提供する任意の２つの光学像については、両光学像によって第１のモザイクに提供されるセグメントは全て、両光学像によって第２のモザイクに提供されるセグメントの左側である、
ことを特徴とする方法。
【請求項３９】  請求項３８に記載の方法において、
前記表示するステップは、少なくとも２つのモザイクを奥行き感が得られる速さで連続して表示することを含む、
ことを特徴とする方法。
【請求項４０】  請求項３８に記載の方法において、
前記表示するステップは、両眼が各々別のモザイクを視るように少なくとも２つのモザイクを表示することを含む、
ことを特徴とする方法。
【請求項４１】  請求項３８に記載の方法において、
前記生成するステップは、前記複数のモザイクのモザイク間の視差を調整して選択された視覚効果をもたらすことを含む、
ことを特徴とする方法。
【請求項４２】  請求項４１に記載の方法において、
前記複数のモザイクのモザイク間の視差の調整が、シーンにおける対象物について選択された少なくとも１つの視差を提供することを含む、
ことを特徴とする方法。
【請求項４３】  請求項４１に記載の方法において、
前記複数のモザイクのモザイク間の視差の調整が、シーンにおける有限距離での対象物に対して、少なくとも人間の立体結合に必要な視差を提供することを含む、
ことを特徴とする方法。
【請求項４４】  請求項４１に記載の方法において、
前記複数のモザイクのモザイク間の視差の調整を、シーンにおける全ての対象物に対する視差が所定の範囲内に入るように行う、
ことを特徴とする方法。
【請求項４５】  請求項４１に記載の方法において、
前記複数のモザイクのモザイク間の視差の調整が、シーンにおける異なる対象物に対する視差を別々に調整することを含む、
ことを特徴とする方法。
【請求項４６】  請求項３８に記載の方法において、
前記分割が、少なくとも３つのシリーズの画像ストリップを生成することを含み、
各シリーズが、シーンに対する一連の位置の各々からカメラによって記録されたようにシーンの一連の画像のストリップを含み、各シリーズの画像ストリップは各画像のストリップを表し、該ストリップは、少なくとも１つの選択された置換によって互いに置き換えられるものであり、
前記生成するステップが、各画像ストリップのシリーズをモザイク処理することによりシーンの前記複数のモザイクを構築することを含む、
ことを特徴とする方法。
【請求項４７】  シーンに対して移動し該シーンの複数の光学像を取得する少なくとも１つの画像形成部によって取得されるシーンを少なくとも部分的に表す画像データの処理方法であって、
少なくとも２つの前記光学像は各々相異なる視点から視た像であり、
各画像を複数のセグメントに分割してシーンの複数のモザイクを生成するステップと、
シーンに奥行き感を与えるように複数のモザイクを表示するステップと、
を含み、
各モザイクが、異なる光学像から取得したセグメントを含み、
各モザイクの少なくとも２つの異なるセグメントが、前記２つの光学像の各々に現れているシーンの異なる部分に関連し、
シーンの少なくとも一部分に関するセグメントは、少なくとも２つの光学像から得られ、少なくとも２つのモザイクに現れており、
少なくとも２つの異なるセグメントを任意の２つのモザイクの各々に提供する任意の２つの光学像については、両光学像によって第１のモザイクに提供されるセグメントは全て、両光学像によって第２のモザイクに提供されるセグメントの左側である、
ことを特徴とする方法。
【請求項４８】  請求項４７に記載の方法において、
前記表示するステップは、少なくとも２つのモザイクを奥行き感が得られる速さで連続して表示することを含む、
ことを特徴とする方法。
【請求項４９】  請求項４７に記載の方法において、
前記表示するステップは、両眼が各々別のモザイクを視るように少なくとも２つのモザイクを表示することを含む、
ことを特徴とする方法。
【請求項５０】  請求項４７に記載の方法において、
前記生成するステップは、前記複数のモザイクのモザイク間の視差を調整して選択された視覚効果をもたらすことを含む、
ことを特徴とする方法。
【請求項５１】  請求項５０に記載の方法において、
前記複数のモザイクのモザイク間の視差の調整が、シーンにおける対象物について選択された少なくとも１つの視差を提供することを含む、
ことを特徴とする方法。
【請求項５２】  請求項５０に記載の方法において、
前記複数のモザイクのモザイク間の視差の調整が、シーンにおける有限距離での対象物に対して、少なくとも人間の立体結合に必要な視差を提供することを含む、
ことを特徴とする方法。
【請求項５３】  請求項５０に記載の方法において、
前記複数のモザイクのモザイク間の視差の調整を、シーンにおける全ての対象物に対する視差が所定の範囲内に入るように行う、
ことを特徴とする方法。
【請求項５４】  請求項５０に記載の方法において、
前記複数のモザイクのモザイク間の視差の調整が、シーンにおける異なる対象物に対する視差を別々に調整することを含む、
ことを特徴とする方法。
【請求項５５】  請求項４７に記載の方法において、
前記分割が、少なくとも３つのシリーズの画像ストリップを生成することを含み、
各シリーズが、シーンに対する一連の位置の各々からカメラによって記録されたようにシーンの一連の画像のストリップを含み、各シリーズの画像ストリップは各画像のストリップを表し、該ストリップは、少なくとも１つの選択された置換によって互いに置き換えられるものであり、
前記生成するステップが、各画像ストリップのシリーズをモザイク処理することによりシーンの前記複数のモザイクを構築することを含む、
ことを特徴とする方法。
【請求項５６】  コンピュータ・プログラムであって、
コンピュータ上で起動されると、前記請求項３８から５５のいずれかに記載の方法を実行するコンピュータ・プログラム・コード手段を含む、
ことを特徴とするプログラム。
【請求項５７】  コンピュータで読取可能な媒体上に具体化された、請求項５６に記載のコンピュータ・プログラム。